(57)【要約】【課題】プレビュー画面上から、印刷データのカラー・モノクロ間の変更が可能な画像処理装置等を提供する。【解決手段】作成手段１１によって作成されたドキュメントデータが、変換手段１１によって印刷データに変換され、変換された印刷データがページ毎にプレビュー表示されるとともに、印刷データがモノクロデータか、或いはカラーデータかが表示手段１４に表示される。そして、ユーザからカラーデータからモノクロデータへの変更、或いはモノクロデータからカラーデータへの変更が指示されると、該変更指示に基づいての変更が行われる。【選択図】図４
2009070302.tif 000002
【特許請求の範囲】
【請求項１】
ドキュメントデータを作成する作成手段と、
作成されたドキュメントデータを印刷データに変換する変換手段と、
印刷データがカラーデータかモノクロデータかをページ毎に判断する判断手段と、
印刷データのプレビューをページ単位で表示するとともに、そのページの印刷データがカラーデータであるかモノクロデータであるかを、前記判断手段に基づいて、表示する表示手段と、
前記表示手段に表示された印刷データについてのカラーデータからモノクロデータへの変更指示、またはモノクロデータからカラーデータへの変更指示を、ユーザから受け付ける受付手段と、
前記受け付けた変更指示に応じて、該印刷データをカラーデータからモノクロデータへ、又はモノクロデータからカラーデータへ変更する変更手段と、
を備えたことを特徴とする画像処理装置。
【請求項２】
作成されたドキュメントデータのＲＧＢ値を検出する検出手段を備え、
前記検出手段により検出されたドキュメントデータの１ページ内の各画素のＲＧＢ値が同じ場合、前記判断手段は、前記ページの印刷データはモノクロデータであると判断する一方、それ以外ならカラーデータであると判断する請求項１に記載の画像処理装置。
【請求項３】
作成されたドキュメントデータのＲＧＢ値を検出する検出手段を備え、
前記検出手段により検出されたドキュメントデータの１ページ内の各画素のＲＧＢ値が異なっている場合であっても、すべての画素のＲＧＢ値が所定の閾値内に収まる場合には、前記判断手段は、前記ページの印刷データはモノクロデータであると判断する請求項１に記載の画像処理装置。
【請求項４】
印刷データのプレビューを、前記判断手段による判断結果に応じて、カラーデータ又はモノクロデータで表示手段に表示することにより、印刷データがカラーデータであるかモノクロデータであるかを表示する請求項１〜３のいずれかに記載の画像処理装置。
【請求項５】
プレビュー表示された印刷データの表示部とは別に、該印刷データがカラーデータであるかモノクロデータであるかを表示する表示部を備えている請求項１〜３のいずれかに記載の画像処理装置。
【請求項６】
プレビューで表示されているページの印刷データがカラーデータである場合、前記変更手段は、ユーザからの指示により前記印刷データをモノクロデータに変更する請求項１に記載の画像処理装置。
【請求項７】
プレビューで表示されているページの印刷データがモノクロデータである場合、前項変更手段は、ユーザからの指示により前記印刷データをカラーデータに変更する請求項１に記載の画像処理装置。
【請求項８】
プレビュー表示されるいずれかのページの印刷データがカラーデータである場合、前記変更手段は、ユーザからの指示により全ページの印刷データをモノクロデータに変更する請求項１に記載の画像処理装置。
【請求項９】
ドキュメントデータを作成するステップと、
作成されたドキュメントデータを印刷データに変換するステップと、
印刷データがカラーデータかモノクロデータかをページ毎に判断するステップと、
印刷データのプレビューをページ単位で表示するとともに、そのページの印刷データがカラーデータであるかモノクロデータであるかを、前記判断ステップでの判断に基づいて、表示手段に表示するステップと、
前記表示手段に表示された印刷データについてのカラーデータからモノクロデータへの変更指示、またはモノクロデータからカラーデータへの変更指示を、ユーザから受け付けるステップと、
前記受け付けた場合指示に応じて、該印刷データをカラーデータからモノクロデータへ、又はモノクロデータからカラーデータへ変更するステップと、
を備えたことを特徴とする画像処理方法。
【請求項１０】
ドキュメントデータを作成するステップと、
作成されたドキュメントデータを印刷データに変換するステップと、
印刷データがカラーデータかモノクロデータかをページ毎に判断するステップと、
印刷データのプレビューをページ単位で表示するとともに、そのページの印刷データがカラーデータであるかモノクロデータであるかを、前記判断ステップでの判断に基づいて、表示手段に表示するステップと、
前記表示手段に表示された印刷データについてのカラーデータからモノクロデータへの変更指示、またはモノクロデータからカラーデータへの変更指示を、ユーザから受け付けるステップと、
前記受け付けた場合指示に応じて、該印刷データをカラーデータからモノクロデータへ、又はモノクロデータからカラーデータへ変更するステップと、
を画像処理装置のコンピュータに実行させるための画像処理プログラム。
【発明の詳細な説明】
【技術分野】
【０００１】
この発明は、印刷データのプレビュー表示が可能な画像処理装置、画像処理方法並びに画像処理プログラムに関する。
【背景技術】
【０００２】
ユーザによって文書作成ソフト等を用いて文書が作成される際、モノクロページとカラーページとが混在した複数ページに亘る文書が作成される場合がある。
【０００３】
このような文書を印刷する場合、ユーザは、印刷前にプレビュー画面上でページ毎のレイアウトや色彩等の確認を行った後に、印刷を行うのが一般的である。
【０００４】
ところが、例えばユーザがディスプレイ上に表示されたプレビュー画面を見て、モノクロと判断した画像であっても、プリンタドライバではカラーであると判断されることがある。即ち、ユーザの判断とプリンタドライバの判断とが異なる場合があり、このような場合、ユーザは意図した出力結果を得られないという問題がある。特に、カラーかモノクロかに応じて異なる料金が課金されるような場合には、ユーザがモノクロと判断してもカラーで印刷されてしまうと、ユーザにとって不利益が生じるという問題がある。
【０００５】
なお、プレビューを表示する際に、プレビュー画像の種類を表示する技術が提供されている。
【特許文献１】特開２００４−２２９０１５号公報
【発明の開示】
【発明が解決しようとする課題】
【０００６】
ところが、特許文献１に記載の技術は、プリンタドライバとは異なる別のアプリケーション上でのプレビュー画面の動作であるため、例えばカラーをモノクロに、或いはモノクロをカラーに変更して印刷を行いたい場合、前記アプリケーション上でドキュメントデータの色をカラーからモノクロに、或いはモノクロからカラーに変更したのち、プリンタドライバを開いて印刷設定を行わなければならず、煩わしいという問題がある。
【０００７】
本発明は、上記課題に鑑みてなされたものであり、プリンタドライバが開かれたあとに、プレビュー画面上で印刷データのカラー・モノクロ間の変更が可能な画像処理装置、画像処理方法並びに画像処理プログラムを提供することを目的とする。
【課題を解決するための手段】
【０００８】
上記課題は、以下の手段によって解決される。
（１）ドキュメントデータを作成する作成手段と、作成されたドキュメントデータを印刷データに変換する変換手段と、印刷データがカラーデータかモノクロデータかをページ毎に判断する判断手段と、印刷データのプレビューをページ単位で表示するとともに、そのページの印刷データがカラーデータであるかモノクロデータであるかを、前記判断手段に基づいて、表示する表示手段と、前記表示手段に表示された印刷データについてのカラーデータからモノクロデータへの変更指示、またはモノクロデータからカラーデータへの変更指示を、ユーザから受け付ける受付手段と、前記受け付けた変更指示に応じて、該印刷データをカラーデータからモノクロデータへ、又はモノクロデータからカラーデータへ変更する変更手段と、を備えたことを特徴とする画像処理装置。
（２）作成されたドキュメントデータのＲＧＢ値を検出する検出手段を備え、前記検出手段により検出されたドキュメントデータの１ページ内の各画素のＲＧＢ値が同じ場合、前記判断手段は、前記ページの印刷データはモノクロデータであると判断する一方、それ以外ならカラーデータであると判断する請求項１に記載の画像処理装置。
（３）作成されたドキュメントデータのＲＧＢ値を検出する検出手段を備え、前記検出手段により検出されたドキュメントデータの１ページ内の各画素のＲＧＢ値が異なっている場合であっても、すべての画素のＲＧＢ値が所定の閾値内に収まる場合には、前記判断手段は、前記ページの印刷データはモノクロデータであると判断する請求項１に記載の画像処理装置。
（４）印刷データのプレビューを、前記判断手段による判断結果に応じて、カラーデータ又はモノクロデータで表示手段に表示することにより、印刷データがカラーデータであるかモノクロデータであるかを表示する請求項１〜３のいずれかに記載の画像処理装置。
（５）プレビュー表示された印刷データの表示部とは別に、該印刷データがカラーデータであるかモノクロデータであるかを表示する表示部を備えている請求項１〜３のいずれかに記載の画像処理装置。
（６）プレビューで表示されているページの印刷データがカラーデータである場合、前記変更手段は、ユーザからの指示により前記印刷データをモノクロデータに変更する請求項１に記載の画像処理装置。
（７）プレビューで表示されているページの印刷データがモノクロデータである場合、前項変更手段は、ユーザからの指示により前記印刷データをカラーデータに変更する請求項１に記載の画像処理装置。
（８）プレビュー表示されるいずれかのページの印刷データがカラーデータである場合、前記変更手段は、ユーザからの指示により全ページの印刷データをモノクロデータに変更する請求項１に記載の画像処理装置。
（９）ドキュメントデータを作成するステップと、作成されたドキュメントデータを印刷データに変換するステップと、印刷データがカラーデータかモノクロデータかをページ毎に判断するステップと、印刷データのプレビューをページ単位で表示するとともに、そのページの印刷データがカラーデータであるかモノクロデータであるかを、前記判断ステップでの判断に基づいて、表示手段に表示するステップと、前記表示手段に表示された印刷データについてのカラーデータからモノクロデータへの変更指示、またはモノクロデータからカラーデータへの変更指示を、ユーザから受け付けるステップと、前記受け付けた場合指示に応じて、該印刷データをカラーデータからモノクロデータへ、又はモノクロデータからカラーデータへ変更するステップと、を備えたことを特徴とする画像処理方法。
（１０）ドキュメントデータを作成するステップと、作成されたドキュメントデータを印刷データに変換するステップと、印刷データがカラーデータかモノクロデータかをページ毎に判断するステップと、印刷データのプレビューをページ単位で表示するとともに、そのページの印刷データがカラーデータであるかモノクロデータであるかを、前記判断ステップでの判断に基づいて、表示手段に表示するステップと、前記表示手段に表示された印刷データについてのカラーデータからモノクロデータへの変更指示、またはモノクロデータからカラーデータへの変更指示を、ユーザから受け付けるステップと、前記受け付けた場合指示に応じて、該印刷データをカラーデータからモノクロデータへ、又はモノクロデータからカラーデータへ変更するステップと、を画像処理装置のコンピュータに実行させるための画像処理プログラム。
【発明の効果】
【０００９】
前項（１）に記載の発明によれば、作成手段によって作成されたドキュメントデータが印刷データに変換され、変換された印刷データがページ毎にプレビュー表示されるとともに、印刷データがモノクロデータか、或いはカラーデータかが表示手段に表示される。そして、ユーザからカラーデータからモノクロデータへの変更、或いはモノクロデータからカラーデータへの変更が指示されると、該変更指示に基づいての変更が行われる。つまり、ドキュメントデータが印刷データに変換された後で、換言すればプリンタドライバが開かれてから、プレビュー画面に印刷データが表示され、その画面からの印字色の変更、即ちカラーデータからモノクロデータ、或いはモノクロデータからカラーデータへの変更が可能となるので、プリンタドライバを開く前にドキュメントデータをカラーからモノクロに、或いはモノクロからカラーに変更する必要はなくなり、印字色の変更操作が簡単になる。また、印刷データのプレビューと同時に、該印刷データがモノクロデータであるかカラーデータであるかが表示されるので、ユーザはモノクロデータとカラーデータとの判断を正確に行うことができる。故に、例えばカラーかモノクロかに応じて異なる料金が課金されるような場合には、ユーザがモノクロと判断してもカラーで印刷されてしまうことによるユーザの不利益が生じるという問題を防ぐことができる。
【００１０】
前項（２）に記載の発明によれば、ドキュメントデータの１ページ内の各画素のＲＧＢ値が同じ場合には、当該ページをモノクロデータとして取り扱うことができる。
【００１１】
前項（３）に記載の発明によれば、ドキュメントデータの１ページ内の各画素のＲＧＢ値が異なっている場合であっても、すべての画素のＲＧＢ値が所定の閾値内に収まる場合には、当該ページをモノクロデータとして取り扱うことができる。
【００１２】
前項（４）に記載の発明によれば、プレビュー表示されるページの印刷データがモノクロデータとして取り扱われていればモノクロで、又カラーデータとして取り扱われていればカラーで表示されるので、ユーザはプレビュー表示されたページの印刷データがカラーデータであるか、或いはモノクロデータであるかの判断を正確に行うことができる。
【００１３】
前項（５）に記載の発明によれば、プレビュー表示されるページの印刷データがモノクロデータとして取り扱われていればその旨が、又カラーデータとして取り扱われていればその旨がそれぞれ表示部に表示されるので、ユーザはプレビュー表示されたページの印刷データがカラーデータであるか、或いはモノクロデータであるかの判断を正確に行うことができる。
【００１４】
前項（６）に記載の発明によれば、プレビュー画面に表示されたページの印刷データがカラーデータである場合、ユーザからの指示によって該印刷データをモノクロデータに変更することが可能となる。
【００１５】
前項（７）に記載の発明によれば、プレビュー画面に表示されたページの印刷データがモノクロデータある場合、ユーザからの指示によって該印刷データをカラーデータに変更することが可能となる。
【００１６】
前項（８）に記載の発明によれば、印刷データにカラーデータが含まれている場合であっても、ユーザからの指示によりすべてのページをモノクロデータに変更することができる。
【００１７】
前項（９）に記載の発明によれば、作成手段によって作成されたドキュメントデータが印刷データに変換され、変換された印刷データがページ毎にプレビュー表示されるとともに、印刷データがモノクロデータか、或いはカラーデータかが表示手段に表示される。そして、ユーザからカラーデータからモノクロデータへの変更、或いはモノクロデータからカラーデータへの変更が指示されると、該変更指示に基づいての変更が行われる。これにより、ユーザはプリンタドライバを開いた後にプレビュー画面上からの印字色の変更が可能となる。また、プレビュー表示されたページの印刷データがモノクロデータであるかカラーデータであるかが表示されるので、ユーザは表示されたページがモノクロであるかカラーであるかの判断を正確に行うことができる。
【００１８】
前項（１０）に記載の発明によれば、ドキュメントデータの作成処理、作成されたドキュメントデータを印刷データに変換する処理、印刷データがカラーデータかモノクロデータかをページ毎に判断する処理、印刷データのプレビューをページ単位で表示するときに、そのページの印刷データがカラーデータであるかモノクロデータであるかを、前記判断手段に基づいて、表示する処理、前記表示手段に表示された印刷データについてのカラーデータからモノクロデータへの変更、またはモノクロデータからカラーデータへのユーザによる変更指示を受け付ける処理、及び変更指示を受け付けた場合、指示に応じて該印刷データのモノクロデータからカラーデータへの、又はカラーデータからモノクロデータへの変更処理を画像処理装置のコンピュータに実行させることができる。
【発明を実施するための最良の形態】
【００１９】
以下、本発明の一実施形態を、図面を参照しながら説明する。
【００２０】
図１は、本発明に係る画像処理装置が用いられた印刷システムの構成を示す図である。
【００２１】
図１に示すように、印刷システムは、画像処理装置としての端末装置１、２及び画像形成装置３とから構成され、ネットワーク４を介して互いに通信可能である。
【００２２】
端末装置１及び２は、ユーザが文書等のドキュメントデータを作成する際に用いられる文書作成用ソフト等がインストールされている。この実施形態では、画像形成装置３を用いるためのプリンタドライバがインストールされており、作成された文書等のドキュメントデータはプリンタドライバにより印刷データに変換され、画像形成装置３に送信される。
【００２３】
画像形成装置３は、多機能デジタル複合機であるＭＦＰ（Multi Function Peripherals）であり、端末装置１及び２等の外部端末装置から受信した印刷データや、プラテンガラス（図示せず）上などにセットされた原稿を走査することによって読み取られた画像データの印刷等を行う。
【００２４】
次に、端末装置１の電気的構成を、図２を参照しながら説明する。なお、端末装置２の電気的構成については端末装置１と同じなので、再度の説明は省略する。
【００２５】
図２は、端末装置１の電気的構成を示したブロック図である。
【００２６】
図２に示すように、端末装置１は、ＣＰＵ１１、ＲＯＭ１２、ＲＡＭ１３、表示部１４、記憶部１５、キー入力部１６、マウス１７、通信インターフェイス部（通信Ｉ/F部）１８及びＣＤ−ＲＯＭ１９等を備え、システムバス２０を介して互いに接続されている。
【００２７】
ＣＰＵ１１は、ＲＯＭ１２に保存されているプログラムを実行することにより、端末装置１の全体を統括的に制御する。この実施形態では、ドキュメントデータのＲＧＢ値の検出、検出結果に基づいて行われる印刷データがカラーデータかモノクロデータかの判定、ドキュメントデータの印刷データへの変換、及びユーザからの印刷データのモノクロからカラーへの変更、或いはカラーからモノクロへの変更の受け付け等を行うが、詳しくは後述する。
【００２８】
ＲＯＭ１２は、ＣＰＵ１１が実行するためのプログラムを保存する。
【００２９】
ＲＡＭ１３は、一時記憶媒体からなり、ＣＰＵ１１が動作用プログラムに従って動作する際の作業領域を提供するものである
表示部１４は、ＣＲＴ等からなり、各種のメッセージ及びユーザに対する入力受付画面、選択画面等を表示したり、ユーザの作成文書等を表示したりする。この実施形態では、印刷データのページ毎のプレビューやプレビュー表示された印刷データのカラー・モノクロの種類等が表示される。
【００３０】
記憶部１５は、ハードディスク等の記憶媒体からなり、ソフトウエアや各種情報を保存する。
【００３１】
キーボード１６及びマウス１７は、ユーザによる入力操作に用いられる。
【００３２】
通信インターフェイス（通信Ｉ/Ｆ）１８は、端末装置２や画像形成装置３等との間で、ネットワーク４を介して、データの送受信を行う通信手段として機能する。この実施形態では、印刷データの画像形成装置３への送信が行われる。
【００３３】
ＣＤ―ＲＯＭドライブ１９は、ＣＤ−ＲＯＭを駆動するものである。
【００３４】
次に、表示部１４に表示されるプレビュー画面を、図３を参照しながら説明する。
【００３５】
ユーザにより文書等のドキュメントデータの作成が終了して、印刷指示が行われると、プリントドライバにより表示部１４に図３に示すプレビュー画面が表示される。
【００３６】
このプレビュー画面から、プレビュー表示された印刷データのモノクロデータからカラーデータへ、若しくはカラーデータからモノクロデータへの変更が可能となっている。
【００３７】
図３に示すように、プレビュー画面には、ページ表示欄３０、プレビュー表示欄３１、カラーモード欄３２、「全ページ」ボタン３３、「ＯＫ」ボタン３４及び「ＣＡＮＣＥＬ」ボタン３５等が表示されている。
【００３８】
ページ表示欄３０は、現在プレビュー表示されている印刷データのページを示すと共に、プレビュー表示させる印刷データのページを切り替える際に、ユーザによってプレビュー表示させるページの入力が行われる。
【００３９】
プレビュー表示欄３１には、ページ毎の印刷データが表示されるが、印刷データがモノクロデータであると判断された場合は、プレビュー表示もモノクロで行われ、印刷データの少なくとも一部にカラーデータがあり、そのページがカラーデータであると判断された場合は、そのページの全体がカラーで表示される。従って、ユーザはプレビュー表示された印刷データの表示色を見て、そのページがカラーとして印刷されるかモノクロとして印刷されるかを、容易に判断することができる。
【００４０】
カラーモード欄３２は、現在、プレビュー表示されているページの印刷データがカラーデータかモノクロデータかの表示を行う。従って、ユーザは、このカラーモード欄３２によっても、そのページがカラーとして印刷されるかモノクロとして印刷されるかを、容易に判断することができる。そして、モノクロをカラーに又はカラーをモノクロに変更したい場合は、このカラーモード欄３２の表示を変更することにより、実行することができるようになっている。
【００４１】
「全ページ」ボタン３３は、プレビュー表示されているページを含む印刷データのすべてのページをモノクロモードに変更するためのものである。
［端末装置１の動作］
次に、端末装置１の動作を、図４に示すフローチャートを参照しながら説明する。なお、この動作は、ＣＰＵ１１がＲＯＭ１２等の記録媒体に保存されているプログラムを実行することにより、実現される。
【００４２】
ユーザは、端末装置１から文書作成用ソフト等を用いて文書や画像等のドキュメントデータを作成し、印刷指示を行う。この実施形態では、複数頁のドキュメントデータを作成し、全ページについての印刷指示を行うものとする。
【００４３】
まず、１ページ目の処理を行うために、変数Ｎに１が代入され（ステップＳ１０）、Ｎページ目がモノクロであるか、或いはカラーであるかの判断を行うために、Ｎページ目の各画素のＲＧＢ値の検出が行われ、検出されたＲＧＢ値のそれぞれがすべて等しいか否かの判定が行われ（ステップＳ１１）、すべて等しい場合（ステップＳ１１でＹＥＳ）、当該ページはモノクロであると判断され、ステップＳ１３に進む。一方、すべてが等しくない場合（ステップＳ１１でＮＯ）、すべての画素のＲＧＢ値のそれぞれが所定の閾値内にあるか否かの判定が行われる（ステップＳ１２）。なお、当該閾値は、ユーザによって予め設定されている。
【００４４】
所定の閾値内にある場合（ステップＳ１２でＹＥＳ）、当該データはモノクロデータであると判断され、ステップＳ１３に進む。一方、所定の閾値内にない場合（ステップＳ１２でＮＯ）、当該ページはカラーデータであると判断され、当該ページが印刷データに変換され後（ステップＳ１５）、カラーモードに設定され（ステップＳ１６）、ステップＳ１７に進む。
【００４５】
ステップＳ１３では、当該ページが印刷データに変換された後、モノクロモードに設定され（ステップＳ１４）、ステップＳ１７に進む。なお、各ページの印刷データがカラーであるかモノクロであるかは、例えばＲＡＭ１３等に記憶される。
【００４６】
ステップＳ１７では、すべてのページの処理が終了したか否かの判定が行われ、終了していない場合（ステップＳ１７でＮＯ）、次のページの処理を行うために、変数Ｎに１を加え（ステップＳ１８）、ステップＳ１１に戻る。一方、すべてのページの処理が終了した場合（ステップＳ１７でＹＥＳ）、プレビュー表示欄３１に１ページ目のプレビューが表示される（ステップＳ１９）。プレビュー表示欄３１には、判断結果に応じて、プレビュー表示された印刷データの全体がモノクロ又はカラーで表示されるから、従来では印刷データの一部のみがカラーであるためにユーザが誤ってモノクロと認識したような場合であっても、ユーザは確実にかつ容易に、そのページがカラーデータであることを認識することができる。併せて、カラーモード欄３２にもプレビュー表示されているページの印刷データがカラーデータであるかモノクロデータであるかが表示される。従って、ユーザは、このカラーモード欄３２によっても、そのページの印刷データがカラーデータであるかモノクロデータであるかを認識することができる。
【００４７】
ユーザは、ページ毎に表示されたプレビューを見て、あるいはカラーモード欄３２を見て、表示されたページのカラー・モノクロの別が、自己の認識と同じであるか否かを調べる。その結果、ユーザがプレビュー表示されたページの印刷データを、カラーからモノクロへ又はモノクロからカラーへ変更したい場合、カラーモード欄３２の表示を変えて、モノクロデータ又はカラーデータへの変更指示を行う。ステップＳ２０で、この変更指示が受け付けられる。この変更指示は、例えばカラーモード欄３２のプルダウンメニューや、図示しないラジオボタン等から、カラーモード変更の表示を選択することにより行う。
【００４８】
次に、ユーザがページ表示欄３０に「２」を入力することにより、プレビュー表示欄３１には、２ページ目の印刷データのプレビューが、判断結果に応じてカラー又はモノクロで表示され、カラーモード欄３２には２ページ目の印刷データがカラーデータであるかモノクロデータであるかが表示される。
【００４９】
こうして、ユーザがページ毎に変更指示を行い、あるいは行うことなく、全てのページの印刷データのカラー・モノクロの別を確認した後、「ＯＫ」ボタン３４を押下する。
【００５０】
また、プレビュー表示されているページを含むすべてのページをモノクロに変更する場合には、「全ページ」ボタン３３を押下する。
【００５１】
ステップＳ２１では、「ＯＫ」ボタン３４が押下されたか否かの判断が行われ、「ＯＫ」ボタン３４が押下された場合（ステップＳ２１でＹＥＳ）、各ページの印刷データのカラーモード（モノクロかカラーか）が確定され（ステップＳ２２）、次いで印刷データの印字が実行される（ステップＳ２５）。
【００５２】
一方、「ＯＫ」ボタン３４が押下されなかった場合（ステップＳ２１でＮＯ）、全ページをモノクロモードに変更する指示、即ち「全ページ」ボタン３３が押下されたか否かの判定が行われ（ステップＳ２３）、「全ページ」ボタン３３が押下された場合（ステップＳ２３でＹＥＳ）、該印刷データの全ページがモノクロモードに変更された後（ステップＳ２４）、印字が行われ（ステップＳ２５）、処理を終了する。
【００５３】
一方、「全ページ」ボタン３３が押下されなかった場合（ステップＳ２３でＮＯ）、ステップＳ２０に戻って、「ＯＫ」ボタン３４が押下されたか否かを判断する。
【００５４】
このように、この実施形態によれば、プリンタドライバによるプレビュー画面からの印字色の変更、即ちカラーデータからモノクロデータ、或いはモノクロデータからカラーデータへの変更が可能となるので、プリンタドライバを開く前にドキュメントデータをカラーからモノクロに、或いはモノクロからカラーに変更したのち、プリンタドライバを開く必要はなくなり、印字色の変更操作が簡単になる。
【００５５】
また、印刷データのプレビューと同時に、プレビュー表示された各ページの印刷データがカラーデータであるか、或いはモノクロデータであるかが表示されるので、ユーザはプレビュー表示されたページの印刷データがカラーであるかモノクロであるかを正確に確認することができる。このため、カラーかモノクロかに応じて異なる料金が課金されるような場合であっても、ユーザがモノクロと判断してもカラーで印刷されてしまうことによるユーザの不利益の発生を未然に防止できる。
【００５６】
また、プレビュー表示されたページの印刷データのカラー・モノクロの別が、ユーザの認識したものと異なる場合、ユーザによりプレビュー画面を介して、カラーデータからモノクロデータへの変更、若しくはモノクロデータからカラーデータへの変更指示がなされると、直ちに印刷データの変更が行われるので、ユーザは変更指示と同時に、意図した印字色の印刷データを作成することができる。
【００５７】
また、カラー・モノクロの判別時の閾値をユーザが自由に設定できるようにしても良く、この場合に閾値を変更することにより、例えばモノクロに近いカラーデータを強制的にモノクロデータと判断させることができるようになり、カラーデータかモノクロデータかの判断にユーザの意思を介在させることができる。
【００５８】
また、印刷データがカラーであるかモノクロであるかを、プレビュー表示された印刷データ自体の表示色で表示するとともに、カラーコード欄にも表示するものとしたが、いずれか一方のみでも良い。
【図面の簡単な説明】
【００５９】
【図１】この発明の一実施形態に係る画像処理装置としての端末装置が用いられた印刷システムの構成を示す図である。
【図２】端末装置の電気的構成を示す図である。
【図３】プレビュー画面の一例を示す図である。
【図４】端末装置の動作を説明するためのフローチャートである。
【符号の説明】
【００６０】
１，２・・・端末装置（画像処理装置）
３・・・画像形成装置
４・・・ネットワーク
１１・・・ＣＰＵ
１２・・・ＲＯＭ
１３・・・ＲＡＭ
１４・・・表示部
１５・・・記憶部
１６・・・キー入力部
１７・・・マウス
１８・・・通信インターフェイス部（通信Ｉ/Ｆ部）
１９・・・ＣＤ−ＲＯＭ
２０・・・システムバス
３１・・・プレビュー表示欄３１
３２・・・カラーモード欄
【図１】
2009070302.tif 000003
【図２】
2009070302.tif 000004
【図３】
2009070302.tif 000005
【図４】
2009070302.tif 000006